【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
金属加工品の少なくとも１つの実質的に円筒形の部材を加熱するためのインダクターであって：前記実質的に円筒形の部材は不規則な形状の部材の少なくとも１つ側面に取り付けられており；前記不規則な形状の部材と前記実質的に円筒形の部材との間にはフィレットが形成されており；前記インダクターは第１インダクターセグメント及び第２インダクターセグメントから形成されており；第１及び第２インダクターセグメントは第１インダクターセグメントに供給されるＡＣ高周波電流を第２インダクターセグメントに磁気的に結合するための手段を有しており；前記実質的に円筒形の部材への磁場の適用による加熱のために前記実質的に円筒形の部材を配置するための、実質的に閉じた開口が第１インダクターセグメントに部分的に形成され、かつ第２インダクターセグメントに部分的に形成され；前記磁場がＡＣ高周波電源による励起への応答で第１及び第２インダクターセグメントによって生成され；第１インダクターセグメントが中実の電気伝導性材料から形成されており；第１インダクターセグメントがさらに：
第１対向面；及び、
第１コイルセグメント及び第２コイルセグメントを形成する第１貫通開口であって、前記第１及び第２コイルセグメントが第１貫通開口の両側に配置された第１貫通開口を備えており；
第２インダクターセグメントが中実の電気伝導性材料から形成されており、第２インダクターセグメントがさらに：
前記第１対向面に実質的に隣接して配置され、前記第１対向面から電気絶縁された第２対向面；及び、
第３コイルセグメント及び第４コイルセグメントを形成する第２貫通開口であって、前記第３及び第４コイルセグメントが第２貫通開口の両側に配置された第２貫通開口を備えており；
前記インダクターはさらに：
第１インダクターセグメントに少なくとも２つの平行なコイルを形成するために第１コイルセグメント及び第２コイルセグメントに配置された少なくとも１つの断面電流制限スリットであって、第１及び第２コイルセグメントの各々を第１及び第２のコイルサブセグメントの組に分割する断面電流制限スリット；
第１または第２のコイルセグメントを備える、第１及び第２のコイルサブセグメントの組のどちらかの第１部分開口であって：前記第１部分開口が第１部分開口を形成している少なくとも１つのコイルサブセグメントの組のオリフィスによって分割されたアーチ形コイル面を有しており；前記オリフィスが前記アーチ形コイル面をコイルリップの第１の組に分割しており；前記コイルリップの第１の組が隣接する第１対向面とともに相互作用領域を形成しており；そこにおいて、前記コイルリップの第１の組が前記不規則な形状の部材の不規則な塊を選択的に補正するために、前記実質的に円筒形の部材の表面に対する開口のために、または前記フィレットの選択的な加熱のために輪郭を形成されている第１部分開口；及び、
第３または第４のコイルセグメントの第２部分開口であって：前記第２部分開口がオリフィスによって分割されたアーチ形コイル面を有しており；前記オリフィスが前記アーチ形コイル面をコイルリップの第２の組に分割しており；前記コイルリップの第２の組が隣接する第２対向面とともに相互作用領域を形成しており；そこにおいて、前記コイルリップの第１の組が前記不規則な形状の部材の不規則な塊を選択的に補正するために、前記実質的に円筒形の部材の表面に対する開口のために、または前記フィレットの選択的な加熱のために輪郭を形成されており；第１及び第２の部分開口が実質的に閉じた開口を形成する第２部分開口を備えるインダクター。
【請求項２】
金属加工品の少なくとも１つの実質的に円筒形の部材を加熱するためのインダクターであって：前記実質的に円筒形の部材は不規則な形状の部材の少なくとも１つ側面に取り付けられており；前記不規則な形状の部材と前記実質的に円筒形の部材との間にはフィレットが形成されており；前記インダクターは第１インダクターセグメント及び第２インダクターセグメントから形成されており；第１及び第２インダクターセグメントは第１インダクターセグメントに供給されるＡＣ高周波電流を第２インダクターセグメントに磁気的に結合するための手段を有しており；前記実質的に円筒形の部材への磁場の適用による加熱のために前記実質的に円筒形の部材を配置するための、実質的に閉じた開口が第１インダクターセグメントに部分的に形成され、かつ第２インダクターセグメントに部分的に形成され；前記磁場がＡＣ高周波電源による励起への応答で第１及び第２インダクターセグメントによって生成され；第１インダクターセグメントが中実の電気伝導性材料から形成されており；第１インダクターセグメントがさらに：
第１対向面；及び、
第１コイルセグメント及び第２コイルセグメントを形成する第１貫通開口であって、前記第１及び第２コイルセグメントが第１貫通開口の両側に配置された第１貫通開口を備えており；
第２インダクターセグメントが中実の電気伝導性材料から形成され、第２インダクターセグメントがさらに：
前記第１対向面に実質的に隣接して配置され、前記第１対向面から電気絶縁された第２対向面；及び、
第３コイルセグメント及び第４コイルセグメントを形成する第２貫通開口であって、前記第３及び第４コイルセグメントが第２貫通開口の両側に配置された第２貫通開口を備えており；
前記インダクターはさらに：
第１インダクターセグメントに少なくとも２つの平行なコイルを形成するために第１コイルセグメント及び第２コイルセグメントに配置された少なくとも１つの能動断面電流制限スリットであって、第１及び第２コイルセグメントの各々を第１及び第２のコイルサブセグメントの組に分割する能動断面電流制限スリット；
第１または第２のコイルセグメントを備える、第１及び第２のコイルサブセグメントの組のどちらかの第１部分開口であって：前記第１部分開口が第１部分開口を形成している少なくとも１つのコイルサブセグメントの組のオリフィスによって分割されたアーチ形コイル面を有しており；前記オリフィスが前記アーチ形コイル面をコイルリップの第１の組に分割しており；前記コイルリップの第１の組が隣接する第１対向面とともに相互作用領域を形成しており；そこにおいて、前記コイルリップの第１の組が前記不規則な形状の部材の不規則な塊を選択的に補正するために、前記実質的に円筒形の部材の表面に対する開口のために、または前記フィレットの選択的な加熱のために輪郭を形成されている第１部分開口；
第２インダクターセグメントに少なくとも２つの直列なコイルを形成するために第３コイルセグメント及び第４コイルセグメントに配置された少なくとも１つの受動断面電流制限スリットであって、前記少なくとも１つの受動断面電流制限スリットが第３及び第４コイルセグメントの各々を第３及び第４のコイルサブセグメントの組に分割する受動断面電流制限スリット；及び、
第３または第４のコイルセグメントを備える、第３及び第４のコイルサブセグメントの組のどちらかの第２部分開口であって：前記第２部分開口が第２部分開口を形成している少なくとも１つのコイルサブセグメントの組のオリフィスによって分割されたアーチ形コイル面を有しており；前記オリフィスが前記アーチ形コイル面をコイルリップの第１の組に分割しており；前記コイルリップの第１の組が隣接する第２対向面とともに相互作用領域を形成しており；そこにおいて、前記コイルリップの第１の組が前記不規則な形状の部材の不規則な塊を選択的に補正するために、前記実質的に円筒形の部材の表面に対する開口のために、または前記フィレットの選択的な加熱のために輪郭を形成されており；第１及び第２の部分開口が実質的に閉じた開口を形成する第２部分開口を備えるインダクター。
【請求項３】
金属加工品の少なくとも１つの実質的に円筒形の部材を加熱するためのインダクターであって：前記実質的に円筒形の部材は不規則な形状の部材の少なくとも１つ側面に取り付けられており；前記不規則な形状の部材と前記実質的に円筒形の部材との間にはフィレットが形成されており；前記インダクターは第１インダクターセグメント及び第２インダクターセグメントから形成されており；第１及び第２インダクターセグメントは第１インダクターセグメントに供給されるＡＣ高周波電流を第２インダクターセグメントに磁気的に結合するための手段を有しており；前記実質的に円筒形の部材への磁場の適用による加熱のために前記実質的に円筒形の部材を配置するための、実質的に閉じた開口が第１インダクターセグメントに部分的に形成され、かつ第２インダクターセグメントに部分的に形成されており；前記磁場がＡＣ高周波電源による励起への応答で第１及び第２インダクターセグメントによって生成され；第１インダクターセグメントが中実の電気伝導性材料から形成されており；第１インダクターセグメントがさらに：
第１対向面；及び、
第１コイルセグメント及び第２コイルセグメントを形成する第１貫通開口であって、前記第１及び第２コイルセグメントが第１貫通開口の両側に配置された第１貫通開口を備えており；
第２インダクターセグメントが中実の電気伝導性材料から形成され、第２インダクターセグメントがさらに：
前記第１対向面に実質的に隣接して配置され、前記第１対向面から電気絶縁された第２対向面；及び、
第３コイルセグメント及び第４コイルセグメントを形成する第２貫通開口であって、前記第３及び第４コイルセグメントが第２貫通開口の両側に配置された第２貫通開口を備えており；
前記インダクターはさらに：
第２インダクターセグメントに少なくとも２つの電気的に絶縁されたコイルを形成するために第２インダクターセグメント内に配置された少なくとも１つの断面電流制限スリットであって、第３及び第４コイルセグメントの各々を第１及び第２のコイルサブセグメントの組に分割する断面電流制限スリット；
第３または第４のコイルセグメントを備える第１及び第２のコイルサブセグメントの組のどちらかの第１部分開口であって：前記第１部分開口が第１部分開口を形成している少なくとも１つのコイルサブセグメントの組のオリフィスによって分割されたアーチ形コイル面を有しており；前記オリフィスが前記アーチ形コイル面をコイルリップの第１の組に分割しており；前記コイルリップの第１の組が隣接する第２対向面とともに相互作用領域を形成しており；そこにおいて、前記コイルリップの第１の組が前記不規則な形状の部材の不規則な塊を選択的に補正するために、前記実質的に円筒形の部材の表面に対する開口のために、または前記フィレットの選択的な加熱のために輪郭を形成されている第１部分開口；及び、
第１または第２のコイルセグメントの第２部分開口であって：前記第２部分開口がオリフィスによって分割されたアーチ形コイル面を有しており；前記オリフィスが前記アーチ形コイル面をコイルリップの第２の組に分割しており；前記コイルリップの第２の組が隣接する第１対向面とともに相互作用領域を形成しており；そこにおいて、前記コイルリップの第２の組が前記不規則な形状の部材の不規則な塊を選択的に補正するために、前記実質的に円筒形の部材の表面に対する開口のために、または前記フィレットの選択的な加熱のために輪郭を形成されており；第１及び第２の部分開口が実質的に閉じた開口を形成する第２部分開口を備えるインダクター。
【請求項４】
金属加工品の少なくとも１つの実質的に円筒形の部材を加熱するためのインダクターであって：前記実質的に円筒形の部材は不規則な形状の部材の少なくとも１つ側面に取り付けられており；前記不規則な形状の部材と前記実質的に円筒形の部材との間にはフィレットが形成されており；前記インダクターは第１インダクターセグメント及び第２インダクターセグメントから形成されており；第１及び第２インダクターセグメントは第１インダクターセグメントに供給されるＡＣ高周波電流を第２インダクターセグメントに磁気的に結合するための手段を有しており；前記実質的に円筒形の部材への磁場の適用による加熱のために前記実質的に円筒形の部材を配置するための、実質的に閉じた開口が第１インダクターセグメントに部分的に形成され、かつ第２インダクターセグメントに部分的に形成され；前記磁場がＡＣ高周波電源による励起への応答で第１及び第２インダクターセグメントによって生成され；第１インダクターセグメントが中実の電気伝導性材料から形成されており；第１インダクターセグメントがさらに：
第１対向面；及び、
第１コイルセグメント及び第２コイルセグメントを形成する第１貫通開口であって、前記第１及び第２コイルセグメントが第１貫通開口の両側に配置された第１貫通開口を備えており；
第２インダクターセグメントが中実の電気伝導性材料から形成され、第２インダクターセグメントがさらに：
前記第１対向面に実質的に隣接して配置され、前記第１対向面から電気絶縁された第２対向面；及び、
第３コイルセグメント及び第４コイルセグメントを形成する第２貫通開口であって、前記第３及び第４コイルセグメントが第２貫通開口の両側に配置された第２貫通開口を備えており；
前記インダクターはさらに：
第２インダクターセグメントに少なくとも２つの電気的に絶縁されたコイルを形成するために第２インダクターセグメント内に配置された少なくとも１つの受動断面電流制限スリットであって、第３及び第４コイルセグメントの各々を第１及び第２のコイルサブセグメントの組に分割する受動断面電流制限スリット；
第３または第４のコイルセグメントを備える第１及び第２のコイルサブセグメントの組のどちらかの第１部分開口であって：前記第１部分開口が第１部分開口を形成している少なくとも１つのコイルサブセグメントの組のオリフィスによって分割されたアーチ形コイル面を有しており；前記オリフィスが前記アーチ形コイル面をコイルリップの第１の組に分割しており；前記コイルリップの第１の組が隣接する第２対向面とともに相互作用領域を形成しており；そこにおいて、前記コイルリップの第１の組が前記不規則な形状の部材の不規則な塊を選択的に補正するために、前記実質的に円筒形の部材の表面に対する開口のために、または前記フィレットの選択的な加熱のために輪郭を形成されている第１部分開口；
第１インダクターセグメントに少なくとも２つの並列なコイルを形成するために第１コイルセグメント及び第２コイルセグメントに配置された少なくとも１つの能動断面電流制限スリットであって、第１及び第２コイルセグメントの各々を第１及び第２のコイルサブセグメントの組に分割する能動断面電流制限スリット；及び、
第１または第２のコイルセグメントを備える前記コイルサブセグメントの組のどちらかの第２部分開口であって：前記第２部分開口が第２部分開口を形成している少なくとも１つのコイルサブセグメントの組のオリフィスによって分割されたアーチ形コイル面を有しており；前記オリフィスが前記アーチ形コイル面をコイルリップの第２の組に分割しており；前記コイルリップの第２の組が隣接する第１対向面とともに相互作用領域を形成しており；そこにおいて、前記コイルリップの第２の組が前記不規則な形状の部材の不規則な塊を選択的に補正するために、前記実質的に円筒形の部材の表面に対する開口のために、または前記フィレットの選択的な加熱のために輪郭を形成されており；第１及び第２の部分開口が実質的に閉じた開口を形成する第２部分開口を備えるインダクター。
【請求項５】
前記少なくとも１つの能動断面電流制限スリットの数が前記少なくとも１つの受動断面電流制限スリットの数に等しく、前記少なくとも１つの能動断面電流制限スリットの各々が前記少なくとも１つの受動断面電流制限スリットの各々に対して反対側になるように整列されている、請求項２または４に記載のインダクター。
【請求項６】
前記少なくとも１つの能動及び受動断面電流制限スリットの全ての幅が等しい、請求項５に記載のインダクター。
【請求項７】
単一の能動断面電流制限スリット及び単一の受動断面電流制限スリットを備え、前記能動及び受動断面電流制限スリットが、前記フィレットのみが実質的に誘導的に加熱されるように十分広い、請求項６に記載のインダクター。
【請求項８】
磁場を前記フィレットに向けるために磁束集中器が前記断面電流制限スリットによって形成される空間に配置される、請求項７に記載のインダクター。
【請求項９】
金属加工品の少なくとも１つの実質的に円筒形の部材を加熱するためのインダクターであって：前記実質的に円筒形の部材は不規則な形状の部材の少なくとも１つ側面に取り付けられており；前記不規則な形状の部材と前記実質的に円筒形の部材との間にはフィレットが形成されており；前記インダクターは第１インダクターセグメント及び第２インダクターセグメントから形成されており；第１及び第２インダクターセグメントは第１インダクターセグメントに供給されるＡＣ高周波電流を第２インダクターセグメントに磁気的に結合するための手段を有しており；前記実質的に円筒形の部材への磁場の適用による加熱のために前記実質的に円筒形の部材を配置するための、実質的に閉じた開口が第１インダクターセグメントに部分的に形成され、かつ第２インダクターセグメントに部分的に形成されており；前記磁場がＡＣ高周波電源による励起への応答で第１及び第２インダクターセグメントによって生成され；第１インダクターセグメントが中実の電気伝導性材料から形成されており；第１インダクターセグメントがさらに：
第１対向面；及び、
第１コイルセグメント及び第２コイルセグメントを形成する第１貫通開口であって、前記第１及び第２コイルセグメントが第１貫通開口の両側に配置された第１貫通開口を備えており；
第２インダクターセグメントが中実の電気伝導性材料から形成され、第１インダクターセグメントがさらに：
前記第１対向面に実質的に隣接して配置され、前記第１対向面から電気絶縁された第２対向面；及び、
第３コイルセグメント及び第４コイルセグメントを形成する第２貫通開口であって、前記第３及び第４コイルセグメントが第２貫通開口の両側に配置された第２貫通開口を備えており；
前記インダクターはさらに：
第２インダクターセグメントに少なくとも２つの電気的に絶縁されたコイルを形成するために第２インダクターセグメント内に配置された少なくとも１つの断面電流制限スリットであって、第３及び第４コイルセグメントの各々を第１及び第２のコイルサブセグメントの組に分割する断面電流制限スリット；
第３コイルセグメントを備える第１及び第２のコイルサブセグメントの組の第１部分開口であって：前記第１部分開口が第１部分開口を形成している少なくとも１つのコイルサブセグメントの組のオリフィスによって分割されたアーチ形コイル面を有しており；前記オリフィスが前記アーチ形コイル面をコイルリップの第１の組に分割しており；前記コイルリップの第１の組が隣接する第２対向面とともに相互作用領域を形成しており；そこにおいて、前記コイルリップの第１の組が前記不規則な形状の部材の不規則な塊を選択的に補正するために、前記実質的に円筒形の部材の表面に対する開口のために、または前記フィレットの選択的な加熱のために輪郭を形成されており；前記第４コイルセグメントが突出する実質的に半円形の部材を有している第１部分開口；
第１コイルセグメントの第２部分開口であって、前記第２部分開口がオリフィスによって分割されたアーチ形コイル面を有しており；前記オリフィスが前記アーチ形コイル面をコイルリップの第２の組に分割しており；前記コイルリップの第２の組が隣接する第１対向面とともに相互作用領域を形成しており；そこにおいて、前記コイルリップの第２の組が前記不規則な形状の部材の不規則な塊を選択的に補正するために、前記実質的に円筒形の部材の表面に対する開口のために、または前記フィレットの選択的な加熱のために輪郭を形成されており；第１及び第２の部分開口が実質的に閉じた開口を形成する第２部分開口；及び、
第２コイルセグメントの第３部分開口であって、第４コイルセグメントの前記突出する実質的に半円形の部材が前記第３部分開口に嵌る第３部分開口を備えるインダクター。